(57)【要約】【課題】歯間の食物残渣や歯垢等を効率よく除去できるデンタルフロスを提供する。【解決手段】マルチフィラメントを含むデンタルフロス２であって、前記デンタルフロス２は平打ち組織の組み紐である。平打ち紐の組み紐本数は、６〜３３本であるのが好ましく、幅は０．５〜４．０ｍｍ、通過間隙は０．０１〜０．１ｍｍが好ましい。平打ち紐はマルチフィラメントとともにモノフィラメント又は複数本連結糸を併用することもできる。組み紐の構成糸が斜め方向に配置されて固定されており、糸を長さ方向に動かすと、前記斜め方向に固定されている構成糸が、歯間の食物残渣や歯垢等を効率よく除去する。また、平打ち組織の組み紐は扁平で薄く、歯間に入れやすい。【選択図】図１
2020089412.tif 000002
【特許請求の範囲】
【請求項１】
マルチフィラメントを含むデンタルフロスであって、
前記デンタルフロスは平打ち組織の組み紐であることを特徴とするデンタルフロス。
【請求項２】
前記平打ち組織の組み紐本数は、６〜３３本である請求項１に記載のデンタルフロス。
【請求項３】
前記デンタルフロスは、幅０．５〜４．０ｍｍである請求項１又は２に記載のデンタルフロス。
【請求項４】
前記デンタルフロスは、通過間隙が０．０１〜０．１ｍｍである請求項１〜３のいずれかに記載のデンタルフロス。
【請求項５】
前記組み紐は、マルチフィラメントとともにモノフィラメントを構成繊維として含む請求項１〜４のいずれかに記載のデンタルフロス。
【請求項６】
前記モノフィラメントは、複数本連結糸である請求項５のいずれかに記載のデンタルフロス。
【請求項７】
前記組み紐は、マルチフィラメント仮撚り加工糸、又はマルチフィラメント仮撚り加工糸を含む請求項１〜６のいずれかに記載のデンタルフロス。
【請求項８】
前記デンタルフロスは糸巻き体に巻かれているか、又はデンタルフロス保持具に保持されている請求項１〜７のいずれかに記載のデンタルフロス。
【発明の詳細な説明】
【技術分野】
【０００１】
本発明は歯間の食物残渣や歯垢等を除去するためのデンタルフロスに関する。
【背景技術】
【０００２】
歯間の食物残渣や歯垢等を除去するためには、従来から歯間ブラシ、爪楊枝、デンタルフロス、歯ブラシ、ゴム製のソフトピック等様々なものがある。多くの人はいずれかを毎日のように使用している。デンタルフロスに関して、特許文献１には断面が多葉形状の異形断面マルチフィラメントをデンタルフロスにする提案がある。特許文献２には単糸繊度が１０decitex以下のフィラメントを束ねて500〜1500decitexの糸とし、水溶性高分子をコーティングして収束することが提案されている。特許文献３には仮より加工糸をデンタルフロスにする提案がある。
【先行技術文献】
【特許文献】
【０００３】
【特許文献１】特開２０１３−１９２５８６号公報
【特許文献２】特開２０１０−２１４０１７号公報
【特許文献３】特開２００６−１４１４５６号公報
【発明の概要】
【発明が解決しようとする課題】
【０００４】
しかし、従来のデンタルフロスは歯間の食物残渣や歯垢等を効率よく除去できないという問題があった。
【０００５】
本発明は、前記従来の問題を解決するため、歯間の食物残渣や歯垢等を効率よく除去できるデンタルフロスを提供する。
【課題を解決するための手段】
【０００６】
本発明のデンタルフロスは、マルチフィラメントを含むデンタルフロスであって、前記デンタルフロスは平打ち組織の組み紐であることを特徴とする。
【発明の効果】
【０００７】
本発明のデンタルフロスは、マルチフィラメントを含み、平打ち組織の組み紐であることにより、歯間の食物残渣や歯垢等を効率よく除去できる。すなわち、組み紐の構成糸が斜め方向に配置されて固定されており、糸を長さ方向に動かすと、前記斜め方向に固定されている構成糸が、歯間の食物残渣や歯垢等を効率よく除去する。また、平打ち組織の組み紐は扁平で薄く、歯間に入れやすい。
【図面の簡単な説明】
【０００８】
【図１】図１は本発明の一実施形態の保持具に固定されたデンタルフロス製品の正面図である。
【図２】図２は本発明の別の実施形態の保持具に固定されたデンタルフロス製品の正面図である。
【図３】図３は本発明の一実施形態のデンタルフロスの材料の平打ち組織の組み紐の製造装置を示す模式的説明図である。
【図４】図４は本発明の一実施例で使用するポリエステルモノフィラメント４連糸の断面図である。
【図５Ａ】図５Ａは本発明の実施例で使用する通過間隙測定器の斜視写真である。
【図５Ｂ】図５Ｂは同、測定状態を示す斜視写真である。
【図６Ａ】図６Ａは同、組み紐清掃試験機の平面写真である。
【図６Ｂ】図６Ｂは同、組み紐清掃試験機の斜視写真である。
【図６Ｃ】図６Ｃは同、組み紐清掃試験機の粉体塗布具の写真である。
【図６Ｄ】図６Ｄは同、組み紐清掃試験機の測定状態を示す写真である。
【図６Ｅ】図６Ｅは同、組み紐の清掃状態を示す写真である。
【図６Ｆ】図６Ｆは同、図６Ｅの画像処理後のデータ写真である。
【発明を実施するための形態】
【０００９】
本発明のデンタルフロスは、マルチフィラメントを含み、平打ち組織の組み紐である。マルチフィラメントはポリエステル糸、ナイロン糸、フッ素樹脂繊維糸などの合成繊維が好ましい。マルチフィラメントの好ましい構成本数は１０〜４０本であり、好ましい総繊度は５００〜１５００dicitexである。
【００１０】
前記平打ち紐の組み紐本数は、６〜３３本が好ましい。この範囲であればデンタルフロスは細く、歯間に入れやすい。また組み紐本数が前記のとおりであれば、組み紐の構成糸が斜め方向に配置されて固定されており、糸を長さ方向に動かすと、前記斜め方向に固定されている構成糸が、歯間の食物残渣や歯垢等を効率よく除去する。
【００１１】
デンタルフロスは、幅０．５〜４．０ｍｍが好ましく、さらに好ましくは１〜２．２ｍｍである。前記の幅であれば、歯間に入れやすく、歯間の食物残渣や歯垢等を効率よく除去できる。同様に、デンタルフロスの通過間隙は０．０１〜０．１ｍｍが好ましく、さらに好ましくは０．０２〜０．０５ｍｍである。
【００１２】
平打ち紐は、マルチフィラメントとともにモノフィラメントを構成繊維として含んでもよい。モノフィラメントを併用すると、さらに歯間の食物残渣や歯垢等を効率よく除去できる。前記モノフィラメントは、複数本連結糸であるのが好ましい。複数本連結糸は、例えば２〜５本程度のフィラメントが連結している糸である。複数本連結糸を加えるとさらに歯間の食物残渣や歯垢等を効率よく除去できる。モノフィラメントの好ましい繊度は２．６〜４．６dicitexである。
【００１３】
本発明の組み紐は、マルチフィラメント仮撚り加工糸、又はマルチフィラメント仮撚り加工糸を含むことも好ましい。仮撚り加工糸は微細な捲縮があり、歯間の食物残渣や歯垢等をさらに効率よく除去できる。加えて、挿入感も耐久性も向上する。
【００１４】
デンタルフロスは糸巻き体に巻かれているか、又はデンタルフロス保持具に保持されているのが好ましい。デンタルフロスは糸巻き体に巻かれている場合は、所定の長さをカットして使用する。デンタルフロス保持具に保持されている場合は、保持具を持って歯間を清浄する。
【００１５】
以下図面を用いて説明する。以下の図面において、同一符号は同一物を示す。図１は本発明の一実施形態の保持具に固定されているデンタルフロス製品の正面図である。このデンタルフロス製品１は、保持具３にデンタルフロス２が固定されている。図２は本発明の別の実施形態の保持具に固定されているデンタルフロス製品の正面図である。このデンタルフロス製品４は、保持具６にデンタルフロス５が固定されている。
【００１６】
図３は本発明の一実施形態のデンタルフロスの材料の平打ち組織の組み紐製造装置を示す模式的説明図である。この例における平打ち組み紐製造装置１０は、４つの架台（レール）１１の上の９つのボビン（コマ）１２が軌道を矢印１３ａ−１３ｆのように回転移動し、各ボビン（キャリア）１２から供給される繊維糸１４組み上げられ、組み紐１５が形成される。矢印１６は組み上げ方向である。この例では、９つのボビン（コマ）１２全部に巻き糸をセットしているが、いくつかのボビン（コマ）１２に巻き糸をセットしてもよいし、部分的に別の巻き糸をセットしてもよい。本発明においては、ボビン（コマ）の数を「コマ数トータル」といい、組み紐構成糸本数を「巻き数」という。
【００１７】
図４は本発明の一実施例で使用するポリエステルモノフィラメント４連糸７の断面図である。
【実施例】
【００１８】
以下実施例を用いて本発明をさらに具体的に説明するが、本発明は以下の実施例に限定されるものではない。
まず、各評価方法について説明する。
＜通過隙間＞
図５Ａ−Ｂに示す通過間隙測定器を使用してワーク（測定試料）の通過間隙を測定した。この測定器は０．０１ｍｍ単位の通過間隙を測定できる。
＜実際の挿入感＞
ワークを実際の歯間（前歯数か所）に入れたときの挿入感、スムースさから判断した。
Ａ：非常に良い
Ｂ：良い
Ｃ：普通
＜耐久性（こすり）＞
図５Ａ−Ｂに示す通過間隙測定器を使用してワークを５０往復（ストローク長１５ｍｍ）させた後にフロスのほつれを確認した。
Ａ：ほつれ無し
Ｂ：ほつれはあるが実用上問題ない
＜清掃評価１（長手方向）＞
図６Ａ−Ｄに示す組み紐清掃試験機を使用し、組み紐を張ったところに粉体を付けたサイコロを組み紐の長手方向へ１０ｍｍストローク１回、動接触させた。サイコロをマイクロスコープで撮影し、粉体の除去面積を測定した。図６Ｅは測定時のサンプル写真である。器具の荷重は１００ｇであり、この器具に６ｇのサイコロを取り付けて組み紐に当てて評価した。図６Ｆは図６Ｅの画像処理後のデータ写真である。図６Ｅに示すサイコロ表面の中央部は、清掃された部分であり、粉体が除去されている。このサイコロ表面部を下記のように測定した。
(1) マイクロスコープ(キーエンス社製VHX-6000)にて20倍で撮影する。
(2) 5mm×10mmを抽出する。
(3) 除去残りの面積を算出する（一例として、36.079mm2）。
(4) 全体(50mm2)から除去残りを引いた13.921mm2を清掃力と定義する。
＜清掃評価２（短手方向）＞
図６Ａ−Ｄに示す組み紐清掃試験機を使用し、組み紐を張ったところに粉体を付けたサイコロを組み紐の短手方向へ１０ｍｍストローク１回、動接触させた。前記長手方向と同じようにサイコロをマイクロスコープで撮影し、粉体の除去面積を測定した。
【００１９】
（実施例１）
ポリエチレンテレフタレート（ＰＥＴ）マルチフィラメント糸（トータル繊度７８decitex，フィラメント構成本数２４本）の巻き糸１１本と、ＰＥＴマルチフィラメント黒原着糸（トータル繊度１１０decitex，フィラメント構成本数２４本）の巻き糸２本を図３に示す平打ち組み紐製造装置１０にセットし、組み紐を製造した。「コマ数トータル」は１３、「巻き数」も１３とした。得られた平打ち組み紐を、図１に示す保持具に固定して歯間への挿入感などの各種評価をした。条件および評価結果は表１にまとめて示す。
【００２０】
（実施例２）
ポリエチレンテレフタレート（ＰＥＴ）マルチフィラメント糸（トータル繊度７８decitex，フィラメント構成本数２４本）の巻き糸を７本とし、図３に示す平打ち組み紐製造装置１０にセットし、組み紐を製造した。「コマ数トータル」は１３、「巻き数」は７とした。得られた平打ち組み紐を、図１に示す保持具に固定して歯間への挿入感などの各種評価をした。
【００２１】
（実施例３）
ポリエチレンテレフタレート（ＰＥＴ）マルチフィラメント糸（トータル繊度７８decitex，フィラメント構成本数２４本）の巻き糸７本とし、ＰＥＴマルチフィラメント糸（トータル繊度５６decitex，フィラメント構成本数１８本）の巻き糸６本とした以外は実施例１と同様に実験した。
【００２２】
（実施例４）
ポリエチレンテレフタレート（ＰＥＴ）マルチフィラメント糸（トータル繊度５６decitex，フィラメント構成本数１８本）の巻き糸を１３本とした以外は実施例１と同様に実験した。
【００２３】
（実施例５）
ポリエチレンテレフタレート（ＰＥＴ）マルチフィラメント糸（トータル繊度５６decitex，フィラメント構成本数１８本）の巻き糸を１１本とし、ＰＥＴモノフィラメント４連糸（繊度３．６decitex）の巻き糸を２本とした以外は実施例１と同様に実験した。ＰＥＴモノフィラメント４連糸の断面図は図４に示すとおりである。
【００２４】
（実施例６）
ポリエチレンテレフタレート（ＰＥＴ）仮撚り加工糸（トータル繊度７５decitex，フィラメント構成本数３６本。）の巻き糸を２５本とした以外は実施例１と同様に実験した。
【００２５】
（実施例７）
ポリエチレンテレフタレート（ＰＥＴ）仮撚り加工糸（トータル繊度７５decitex，フィラメント構成本数３６本）の巻き糸を１３本とし、ＰＥＴ仮撚り加工糸（繊度５０decitex，フィラメント構成本数３６本）の巻き糸１２本とした以外は実施例１と同様に実験した。
【００２６】
（実施例８）
ポリエチレンテレフタレート（ＰＥＴ）仮撚り加工糸（トータル繊度５０decitex，フィラメント構成本数３６本）の巻き糸を２５本とした以外は実施例１と同様に実験した。
【００２７】
（実施例９）
ポリエチレンテレフタレート（ＰＥＴ）仮撚り加工糸（トータル繊度３０decitex，フィラメント構成本数３６本）の巻き糸を２５本とした以外は実施例１と同様に実験した。
【００２８】
（実施例１０）
ポリエチレンテレフタレート（ＰＥＴ）仮撚り加工糸（トータル繊度３０decitex，フィラメント構成本数１２本）の巻き糸を２５本とした以外は実施例１と同様に実験した。
【００２９】
（実施例１１）
ポリエチレンテレフタレート（ＰＥＴ）仮撚り加工糸（トータル繊度５０decitex，フィラメント構成本数３６本）の巻き糸を１３本、ＰＥＴ仮撚り加工糸（トータル繊度５０decitex，フィラメント構成本数３６本）の巻き糸を１２本とした以外は実施例１と同様に実験した。
【００３０】
（実施例１２）
ポリエチレンテレフタレート（ＰＥＴ）仮撚り加工糸（トータル繊度５０decitex，フィラメント構成本数３６本）の巻き糸を２０本とした以外は実施例１と同様に実験した。
以上の結果を表１〜３にまとめて示す。
【００３１】
【表１】
2020089412.tif 000003
【００３２】
【表２】
2020089412.tif 000004
【００３３】
【表３】
2020089412.tif 000005
【００３４】
以上の結果から明らかなとおり、本発明の各実施例のデンタルフロスは、マルチフィラメントを含み、平打ち組織の組み紐であることにより、歯間の食物残渣や歯垢等を効率よく除去できることがわかった。すなわち、組み紐の構成糸が斜め方向に配置されて固定されており、糸を長さ方向に動かすと、前記斜め方向に固定されている構成糸が、歯間の食物残渣や歯垢等を効率よく除去する。また、平打ち組織の組み紐は扁平で薄く、歯間に入れやすいことがわかった。
【産業上の利用可能性】
【００３５】
本発明のデンタルフロスは、健康な歯を有する人にはもちろん有効であるほか、入れ歯（義歯）、インプラント歯を有する人にも好適である。
【符号の説明】
【００３６】
１，４  デンタルフロス製品
２，５  デンタルフロス
３，６  保持具
１０  平打ち組み紐製造装置
１１  架台（レール）
１２  ボビン（コマ）
１３ａ−１３ｆ  軌道上の回転方向
１４  繊維糸
１５  組み紐
１６  組み上げ方向
【図１】
2020089412.tif 000006
【図２】
2020089412.tif 000007
【図３】
2020089412.tif 000008
【図４】
2020089412.tif 000009
【図５Ａ】
2020089412.tif 000010
【図５Ｂ】
2020089412.tif 000011
【図６Ａ】
2020089412.tif 000012
【図６Ｂ】
2020089412.tif 000013
【図６Ｃ】
2020089412.tif 000014
【図６Ｄ】
2020089412.tif 000015
【図６Ｅ】
2020089412.tif 000016
【図６Ｆ】
2020089412.tif 000017